(57)【特許請求の範囲】
【請求項１】
電源スイッチがオンされたとき、ＣＥＣ信号を含むＨＤＭＩ規格で映像信号を出力するソース手段と、
前記映像信号を無線信号として無線伝送する無線送信手段と、
前記無線伝送された無線信号を受信し、前記ＨＤＭＩ規格の映像信号に変換して出力する無線受信手段と、
前記無線受信手段から前記ＨＤＭＩ規格の映像信号が供給されるシンク手段とを、
具備し、前記無線受信手段は、前記無線信号を受信したとき、内部で新たに発生させたＣＥＣ信号を前記シンク手段に電源オンの制御信号として供給する
映像無線伝送装置。
【請求項２】
請求項１記載の映像無線伝送装置において、前記無線送信手段と前記無線受信手段との間で通信が確立したとき、前記無線受信手段は前記シンク手段に前記電源オンの制御信号を供給する
映像無線伝送装置。
【請求項３】
請求項１または２記載の映像無線伝送装置において、前記ソース手段、前記無線送信手段及び前記無線受信手段を互いに対応させた組が、複数組、設けられ、前記複数組の各組の互いに対応する前記無線送信手段と前記無線受信手段との間だけで信号伝送が可能で、前記シンク手段は、前記各組の前記無線受信手段に対応した複数の入力端子を有し、これら入力端子には、対応する前記無線受信手段から前記受信してＨＤＭＩ規格に変換した映像信号と前記新たに発生させたＣＥＣ信号とが供給され、前記各入力端子にはそれぞれ異なる優先度が割り当てられており、優先度の高い前記入力端子に前記受信してＨＤＭＩ規格に変換した映像信号が供給されたとき、前記シンク手段は当該受信した映像信号を処理する
映像無線伝送装置。
【発明の詳細な説明】
【技術分野】
【０００１】
本発明は、ソース手段、例えばカメラからの映像信号を無線伝送して、シンク手段、例えばテレビジョン受信機に供給する映像無線伝送装置に関する。
【背景技術】
【０００２】
上記のような装置の一例が特許文献１に開示されている。特許文献１の技術では、ソース機器とシンク機器とを無線通信装置を介して無線通信で接続するもので、ソース機器のＨＤＭＩ出力ポートとソース側無線通信装置のＨＤＭＩ入力ポートとがＨＤＭＩケーブルで接続され、シンク機器のＨＤＭＩ入力ポートとシンク側無線通信装置のＨＤＭＩ出力ポートとがＨＤＭＩケーブルで接続されている。ソース機器とソース側無線通信装置との間ではＨＤＭＩ規格により規定されたＨＤＭＩ信号にＣＥＣ規格に従うＣＥＣ信号が含まれている。ソース側無線通信装置は、ＨＤＭＩ信号をＷｉｒｅｌｅｓｓ  ＨＤ規格に従う高周波無線信号により送信可能で、シンク側無線通信装置は、Ｗｉｒｅｌｅｓｓ  ＨＤ規格に従う高周波無線信号を受信可能で、受信した高周波無線信号をＨＤＭＩ信号に復調し、シンク機器に供給する。ソース機器とシンク機器とがデータ通信を行っていない状態で、ソース機器からＣＥＣ信号をソース側無線通信装置及びシンク側無線通信装置を介してシンク機器に供給すると、シンク機器が自動で電源オンされる。
【先行技術文献】
【特許文献】
【０００３】
【特許文献１】特開２０１１−１０９５３６号公報
【発明の概要】
【発明が解決しようとする課題】
【０００４】
特許文献１の技術によれば、ＣＥＣ信号をソース機器側無線通信装置からシンク側無線通信装置に無線伝送している。無線での信号伝送経路では、ノイズが混入するなどの様々な事象が生じ、その結果、誤動作する可能性があり、例えばシンク機器を動作させる必要のあるときに、シンク機器の電源がオンにならない可能性がある。
【０００５】
本発明は、無線伝送によってシンク手段を電源オンさせる際にノイズ等の影響による誤動作を防止できる映像無線伝送装置を提供することを目的とする。
【課題を解決するための手段】
【０００６】
本発明の一態様の映像無線伝送装置は、ソース手段を有し、ソース手段は、電源スイッチがオンされたとき、ＣＥＣ信号を含むＨＤＭＩ規格で映像信号を出力する。ソース手段としては、例えば撮像手段、例えばビデオカメラを使用することができる。前記映像信号を無線信号として無線送信手段が無線伝送する。前記無線伝送された無線信号を無線受信手段が受信し、前記ＨＤＭＩ規格の映像信号に変換して出力する。シンク手段には、無線受信手段から前記ＨＤＭＩ規格の映像信号が供給される。無線送信手段と無線受信手段との間での無線伝送には、種々の規格のものを使用することができるが、例えばＷｉｒｅｌｅｓｓ  ＨＤ規格のものを使用することができる。また、シンク手段としては、例えば表示手段、具体的にはテレビジョン受信機を使用することができる。前記無線受信手段は、前記無線伝送された映像信号を受信したとき、内部で新たに発生させたＣＥＣ信号を前記シンク手段に電源オンの制御信号として供給する。
【０００７】
このように構成された映像無線伝送装置では、ソース手段側の無線送信手段が映像信号を無線伝送したことに応じて、無線受信手段が電源オンの制御信号をシンク手段に供給しており、電源オンの制御信号をソース側無線送信手段からシンク側無線受信手段に伝送していない。従って、ノイズ等の影響を受けることなく、シンク手段を電源オンしたいときのみ確実に電源オンすることができる。
【０００８】
前記無線送信手段と前記無線受信手段との間で通信が確立したとき、前記無線受信手段は前記シンク手段に前記電源オンの制御信号を供給するように構成することができる。このように構成すると、通信が確立したときに、シンク手段の電源がオンとなるので、より確実に誤動作を防止できる。例えば無線受信手段において無線伝送された映像信号のレベルを検出し、このレベルが予め定めたレベル以上になったときに、無線受信手段が無線伝送された映像信号を受信したと判断して、シンク手段の電源をオンにすることも考えられるが、この場合、ノイズを無線伝送された映像信号と誤検知した場合、誤動作する可能性があるが、上記のように無線伝送が確立されたときに、電源オンするように構成すると、より誤動作しにくくすることができる。
【０００９】
前記ソース手段、前記無線送信手段及び前記無線受信手段を互いに対応させた組を、複数組、設けることができる。この場合、前記複数組の各組の互いに対応する前記無線送信手段と前記無線受信手段との間だけで信号伝送が可能である。前記シンク手段は、前記各組の前記無線受信手段に対応した複数の入力端子を有し、これら入力端子には、対応する前記無線受信手段から前記受信してＨＤＭＩ規格に変換した映像信号と前記新たに発生させたＣＥＣ信号とが供給され、前記各入力端子にはそれぞれ異なる優先度が割り当てられており、優先度の高い前記入力端子に前記受信してＨＤＭＩ規格に変換した映像信号が供給されたとき、前記シンク手段は当該受信した映像信号を処理する。
【００１０】
このように構成すると、複数のソース手段を使用している場合、優先度の高いソース手段の映像信号を、シンク手段によって処理することが可能となる。
【発明の効果】
【００１１】
以上のように本発明によれば、無線伝送によって映像信号をソース手段からシンク手段に伝送する際に、ノイズ等の影響を受けずにシンク手段を電源オンすることができる。
【図面の簡単な説明】
【００１２】
【図１】本発明の第１の実施形態の映像無線伝送装置のブロック図である。
【図２】図１の映像無線伝送装置のフローチャートである。
【図３】本発明の第２の実施形態の映像無線伝送装置のブロック図である。
【発明を実施するための形態】
【００１３】
本発明の第１の実施形態の映像無線伝送装置は、図１に示すようにソース手段、例えばビデオカメラ２を有している。このビデオカメラ２は、電源スイッチ４を有し、この電源スイッチ４がオンされたとき動作を開始し、映像を撮影して得た例えばＨＤＭＩ規格の映像信号を、ＨＤＭＩケーブルを介して無線送信手段、例えばＷｉｒｅｌｅｓｓ  ＨＤ送信機６に供給する。
【００１４】
Ｗｉｒｅｌｅｓｓ  ＨＤ送信機６は、供給されたＨＤＭＩ規格の映像信号をＷｉｒｅｌｅｓｓ  ＨＤ規格の無線信号として送信する。
【００１５】
この無線信号は、無線受信手段、例えばＷｉｒｅｌｅｓｓ  ＨＤ受信機８で受信される。このＷｉｒｅｌｅｓｓ  ＨＤ受信機８は、Ｗｉｒｅｌｅｓｓ  ＨＤ規格の無線信号をＨＤＭＩ規格の映像信号に変換し、ＨＤＭＩケーブルを介してシンク手段、例えばテレビジョン受信機１０の入力端子、例えばＨＤＭＩ入力端子ＩＮに供給する。Ｗｉｒｅｌｅｓｓ
ＨＤ受信機８は、Ｗｉｒｅｌｅｓｓ  ＨＤ規格の無線信号を受信したことに応じてＣＥＣ信号をＨＤＭＩケーブルを介してテレビジョン受信機１０に供給する。この供給に応じてテレビジョン受信機１０は、電源オンとなり、Ｗｉｒｅｌｅｓｓ  ＨＤ規格の映像信号に基づいて映像を、その画面に表示する。
【００１６】
Ｗｉｒｅｌｅｓｓ  ＨＤ受信機８は、テレビジョン受信機１０を電源オンするためのＣＥＣ信号をテレビジョン受信機１０に供給するが、これは、Ｗｉｒｅｌｅｓｓ  ＨＤ送信機６から無線伝送されたものではなく、Ｗｉｒｅｌｅｓｓ  ＨＤ規格の無線信号を受信したことに応じてＷｉｒｅｌｅｓｓ  ＨＤ受信機８内で発生したものである。従って、ノイズ等の影響を受けて、ＣＥＣ信号が発生していないにも拘わらず、ＣＥＣ信号が発生していると誤認識したり、実際にはＣＥＣ信号が発生しているにも拘わらず、発生していないと誤認識することはない。
【００１７】
特に、Ｗｉｒｅｌｅｓｓ  ＨＤ送信機６とＷｉｒｅｌｅｓｓ  ＨＤ受信機８との間で通信が確立できたときに、Ｗｉｒｅｌｅｓｓ  ＨＤ受信機８はＣＥＣ信号をテレビジョン受信機１０に送出しているので、確実に誤動作を防止できる。
【００１８】
図２に示すように、Ｗｉｒｅｌｅｓｓ  ＨＤ送信機６は、ビデオカメラ２の電源スイッチ４がオンされた否かを判断する（ステップＳ２）。この判断は、例えばビデオカメラ２からＨＤＭＩ規格の映像信号がＷｉｒｅｌｅｓｓ  ＨＤ送信機６に供給されているか否かを判断することによって行うことができる。
【００１９】
この判断の答えがノーの場合、このステップＳ２を繰り返し、この判断の答えがイエスの場合、Ｗｉｒｅｌｅｓｓ  ＨＤ送信機６は、Ｗｉｒｅｌｅｓｓ  ＨＤ受信機８との間で通信の確定作業を行う（ステップＳ４）。次に、通信が確定したか判断し（ステップＳ６）、その判断の答えがノーの場合、ステップＳ４を再び実行する。ステップＳ６の判断の答えがイエスの場合、Ｗｉｒｅｌｅｓｓ  ＨＤ送信機６は、Ｗｉｌｅｓｓ  ＨＤ規格の無線信号の送信を開始する（ステップＳ８）。
【００２０】
一方、Ｗｉｌｅｓｓ  ＨＤ受信機８は、Ｗｉｌｅｓｓ  ＨＤ送信機６との通信確定作業を行っており（ステップＳ１０）、通信が確定したか判断する（ステップＳ１２）。この判断の答えがノーの場合、ステップＳ１０を再び実行し、この判断の答えがイエスの場合、テレビジョン受信機１０の電源オン用のＣＥＣ信号を、テレビジョン受信機１０に対して送出する（ステップＳ１４）。そして、Ｗｉｒｅｌｅｓｓ  ＨＤ無線信号を受信し、ＨＤＭＩ規格の映像信号に変換して、テレビジョン受信機１０に供給する（ステップＳ１６）。
【００２１】
ビデオカメラ２は、例えば家庭の玄関等に設置され、Ｗｉｒｅｌｅｓｓ  ＨＤ送信機６も、ビデオカメラ２の近傍に配置されている。テレビジョン受信機１０及びＷｉｒｅｌｅｓｓ  ＨＤ受信機８は、家庭内の適所に配置されている。従って、ビデオカメラ２での玄関当たりの監視を開始するために、ビデオカメラ２で電源オンすると、自動的にテレビジョン受信機１０も電源オンされるので、常時テレビジョン受信機１０に電源を供給しておく必要がなく、省電力化を図ることができる。なお、玄関近傍にセンサを設け、このセンサが人等を検知したとき、ビデオカメラ２の電源スイッチ４をオンするように構成することもできる。この場合、玄関付近に人が現れると、自動的に撮影が開始され、その撮影像が、自動的に電源オンされたテレビジョン受信機１０に表示される。
【００２２】
本発明の第２の実施形態の映像無線伝送装置を図３に示す。この映像無線伝送装置では、複数台、例えば４台のビデオカメラ２ａ乃至２ｄが設けられている。これらビデオカメラ２ａ乃至２ｄは、電源スイッチ４ａ乃至４ｄを有している。これらビデオカメラ２ａ乃至２ｄにそれぞれ対応して、Ｗｉｒｅｌｅｓｓ  ＨＤ送信機６ａ乃至６ｄ、Ｗｉｒｅｌｅｓｓ  ＨＤ受信機８ａ乃至８ｄが設けられている。各Ｗｉｒｅｌｅｓｓ  ＨＤ受信機８ａ乃至８ｄは、対応するＷｉｒｅｌｅｓｓ  ＨＤ送信機６ａ乃至６ｄからの無線信号のみを受信し、その受信した無線信号をＨＤＭＩ規格の映像信号に変換する。テレビジョン受信機１０は、各Ｗｉｒｅｌｅｓｓ  ＨＤ受信機８ａ乃至８ｄに対応する４つのＨＤＭＩ規格の入力端子ＩＮａ、ＩＮｂ、ＩＮｃ、ＩＮｄを有している。これらには、対応するＷｉｒｅｌｅｓｓ  ＨＤ受信機８ａ乃至８ｄからＨＤＭＩ規格の映像信号が供給されている。
【００２３】
各ビデオカメラ２ａ乃至２ｄの電源スイッチ４ａ乃至４ｄのいずれかがオンされたとき、第１の実施形態の映像無線伝送装置と同様に、テレビジョン受信機１０の電源がオンされ、電源スイッチがオンされたビデオカメラの映像がテレビジョン受信機１０に表示される。但し、複数台のビデオカメラが使用されているので、既にあるビデオカメラからの映像信号が供給されている状態で、他のビデオカメラからも映像信号が供給された場合、どのような表示をするかという問題がある。
【００２４】
この実施形態では、各入力端子ＩＮａ乃至ＩＮｄに対して異なる優先度を割り当てて、現在映像信号が供給されている入力端子よりも、新たに映像信号が供給された入力端子の優先度が高い場合、新たに映像信号が供給された入力端子の映像信号を表示することによって、この問題を解決している。そのため、テレビジョン受信機１０の内部に、各入力端子ＩＮａ乃至ＩＮｄの映像信号のうち１つを選択して、テレビジョン受信機１０内の映像処理回路に供給する切換手段、例えば切換スイッチと、この切換スイッチを制御する制御回路とが設けられている。さらに、各入力端子ＩＮａ乃至ＩＮｄに映像信号が供給されているか否を検出する検出回路を設け、検出回路の出力から制御回路が、新たに映像信号が供給された入力端子の優先度が、現在、映像信号が供給されている入力端子（これは１つの場合もあるし、複数の場合もある）よりも優先度が高ければ、新たに映像信号が供給された入力端子の映像信号を選択し、そうでなければ、既に映像信号が供給されている入力端子のうち優先度が高いものの映像信号を選択する。
【００２５】
上記の両実施形態では、ソース手段としてビデオカメラを使用したが、これに限ったものではなく、例えばブルーレイプレーヤ等を使用することもできるし、シンク手段としてテレビジョン受信機を使用したが、これに限ったものではなく、例えば記録手段、具体的にはハードディスクレコーダやブルーレイレコーダを使用することもできる。上記の両実施形態では、無線送受信にはＷｉｒｅｌｅｓｓ  ＨＤ規格を使用したが、これに限ったものではなく、他の規格のものを使用することもできる。
【符号の説明】
【００２６】
２ ２ａ乃至２ｄ  ビデオカメラ（ソース手段）
４  ４ａ乃至４ｄ  電源スイッチ
６  ６ａ乃至６ｄ  Ｗｉｒｅｌｅｓｓ  
ＨＤ送信機（無線送信手段）
８  ８ａ乃至８ｄ  Ｗｉｒｅｌｅｓｓ  
ＨＤ送信機（無線受信手段）
１０  テレビジョン受信機（シンク手段）
【図１】
0005996929.tif 000002
【図２】
0005996929.tif 000003
【図３】
0005996929.tif 000004